【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
内部及び外部を含むハウジングと、交流電源に電気的に接続可能な第１の電力接続と、鉛蓄バッテリに電気的に接続可能な第２の電力接続と、前記ハウジングの前記内部に配置された内部再充電可能なバッテリパックと、前記ハウジングの前記外部に着脱自在に結合された着脱可能なバッテリパックと、前記前記交流電源、前記鉛蓄バッテリ、前記内部再充電可能なバッテリパック及び前記着脱可能なバッテリパックの対応する少なくとも一つからベンチレータへの電力の供給を制御する電力制御機構とを有する、ベンチレータにおいて、前記ベンチレータの第１の電力接続が前記交流電源に接続されるとき、前記電力制御機構は電力を前記交流電源から前記ベンチレータへ供給させ、第１の電力接続が前記交流電源に電気的に接続されず、第２の電力接続が前記鉛蓄バッテリに電気的に接続されているとき、前記電力制御機構は電力を前記鉛蓄バッテリから前記ベンチレータへ供給させ、第１の電力接続が前記交流電源に電気的に接続されず、第２の電力接続が前記鉛蓄バッテリに電気的に接続されず、前記着脱可能なバッテリパックが前記ベンチレータに電気的に接続されていて、その最大容量の１０パーセントを超えて充電されているとき、前記電力制御機構は電力を前記着脱可能なバッテリパックから前記ベンチレータへ供給させ、第１の電力接続が交流電源に電気的に接続されず、第２の電力接続が前記鉛蓄バッテリに電気的に接続されず、前記着脱可能なバッテリパックが、（ａ）前記ベンチレータに電気的に接続されていないか、（ｂ）その最大容量の１０パーセント未満まで放電されているかの何れか一つであり、前記内部再充電可能なバッテリパックがその最大容量の１０パーセントを超えて充電されているとき、前記電力制御機構は電力を前記内部再充電可能なバッテリパックから前記ベンチレータに供給させ、第１の電力接続が前記交流電源に電気的に接続されず、第２の電力接続が前記鉛蓄バッテリに電気的に接続されず、前記着脱可能なバッテリパックが１０パーセント未満の測定された容量を持ち、前記内部再充電可能なバッテリパックが１０パーセント未満の測定された容量を持つとき、前記電力制御機構が電力を前記内部再充電可能なバッテリパック及び前記着脱可能なバッテリパック両方から前記ベンチレータへ供給させることを特徴とする、ベンチレータ。
【請求項２】
前記電力制御機構が充電器を含み、前記ベンチレータの第１の電力接続が前記交流電源に接続され、前記内部再充電可能なバッテリパック及び前記着脱可能なバッテリパックの少なくとも１つが完全に充電されていないとき、前記充電器が、前記交流電源から前記内部再充電可能なバッテリパック及び前記着脱可能なバッテリパックの前記少なくとも一つを再充電する、請求項１に記載のベンチレータ。
【請求項３】
前記内部再充電可能なバッテリパック及び前記着脱可能なバッテリパック全体で、少なくとも４時間ベンチレータを動作するために充分な電力を供給する、請求項１に記載のベンチレータ。
【請求項４】
前記ベンチレータの前記ハウジングの前記外部が、外部表面と当該外部表面から内向きに延在するキャビティとを含み、前記着脱可能なバッテリパックは、前記ベンチレータの前記ハウジングの前記外部表面の前記キャビティへ挿入可能な筐体であって、第１の端部、第１の端部とは反対側に配置され遠位の第２の端部、第１の側部、及び第２の側部を含む前記筐体と、前記筐体により囲まれる複数のバッテリと、前記複数のバッテリに電気的に接続された電気的コネクタであって、前記着脱可能なバッテリパックを前記ベンチレータの前記電力制御機構に電気的に接続する前記電気的コネクタと、前記着脱可能なバッテリパックの筐体を前記ハウジングの前記キャビティで又はその周りで前記ベンチレータの前記ハウジングと着脱自在に結合させる少なくとも一つの締結機構とを有し、前記キャビティ、前記着脱可能なバッテリパック又は両方は、前記着脱可能なバッテリパックが一つの所定の方向だけで前記キャビティに嵌まるように構成されている、請求項１に記載のベンチレータ。
【請求項５】
前記ベンチレータの前記ハウジングの前記キャビティが、第１の端部、前記キャビティの第１の端部とは反対側で遠位に配置された第２の端部、及び円弧状部分を含み、前記キャビティの前記円弧状部分が前記キャビティの第２の端部に又はその周りに配置され、前記筐体の第１の側部が前記筐体の第２の端部に又はその周りに配置される円弧状部分を含み、前記筐体の前記円弧状部分は、前記所定の方向で前記キャビティへの前記バッテリパックの挿入を容易にするために前記キャビティの前記円弧状部分に一致する、請求項４に記載のベンチレータ。
【請求項６】
前記ベンチレータの前記ハウジングの前記キャビティが、第１の端部と、前記ベンチレータの前記ハウジングの前記キャビティの第１の端部とは反対側で遠位に配置された第２の端部とを持ち、前記少なくとも一つの締結機構が、前記筐体の第１の端部で又はその周りに前記着脱可能なバッテリパックの前記筐体から外向きに延在する第１の突起と、前記筐体の第２の端部で又はその周りに前記着脱可能なバッテリパックの前記筐体から外向きに延在する第２の突起とを有し、前記着脱可能なバッテリパックが適当な方向で前記ベンチレータの前記ハウジングの前記キャビティに挿入されるとき、前記着脱可能なバッテリパックが前記所定の方向に嵌まり、前記キャビティ内に固定されるために、第１の突起が前記キャビティの第１の端部で又はその周りで前記ベンチレータの前記ハウジングと係合し、第２の突起が前記キャビティの第２の端部で又はその周りで前記ベンチレータの前記ハウジングと係合する、請求項４に記載のベンチレータ。
【請求項７】
前記着脱可能なバッテリパックの前記少なくとも一つの締結機構は、更に、前記着脱可能なバッテリパックの前記筐体の第２の側部に配置されているリリース機構を有し、第１の突起及び第２の突起の少なくとも１つは、前記リリース機構の動きが第１の突起及び第２の突起の前記少なくとも１つの対応する動きとなって、これにより前記ベンチレータの前記ハウジングから前記着脱可能なバッテリパックを分離するように、前記リリース機構へ可動的に結合される、請求項６に記載のベンチレータ。
【請求項８】
前記着脱可能なバッテリパックの前記筐体が、前記ベンチレータの前記ハウジングの前記キャビティ内で所定の方向に配置されていて、前記着脱可能なバッテリパックの前記筐体の第２の側部が、前記キャビティに隣接する前記ベンチレータの前記ハウジングの前記外部表面に関して実質的に同じ平面にある、請求項４に記載のベンチレータ。
【請求項９】
前記ベンチレータの前記ハウジングが、更に、前記ベンチレータの前記ハウジングの前記キャビティ内に配置されている電気的コネクタを含み、前記着脱可能なバッテリパックの前記電気的コネクタが、前記着脱可能なバッテリパックの前記筐体の第１の側に配置されていて、前記着脱可能なバッテリパックが前記所定の方向で前記キャビティに挿入されるとき、前記着脱可能なバッテリパックの前記電気的コネクタは、前記ベンチレータの前記電気的コネクタと位置合わせして電気的に接続する、請求項４に記載のベンチレータ。
【請求項１０】
（ａ）（１）交流電源に選択的に接続可能なＡＣコネクタ、（２）鉛蓄バッテリに選択的に接続可能な鉛蓄バッテリコネクタ、（３）内部再充電可能なバッテリパック、及び（４）ベンチレータに選択的に取り付け可能であって着脱可能な少なくとも一つの着脱可能なバッテリパックを有する複数の利用可能な電源を供給するステップと、
（ｂ）前記利用可能な電源の少なくとも１つから前記ベンチレータに電力を供給するステップと、
（ｃ）前記電力を使用してベンチレータを動作させるステップとを有する、ベンチレータを動作させる方法であって、前記電力を供給するステップは、
（ａ）前記ＡＣコネクタが前記交流電源に電気的に接続しているかどうかを決定し、（１）肯定ならば、前記ＡＣコネクタを通じて前記交流電源から前記ベンチレータに電力を供給するステップと、（２）否定であれば、ステップ（ｂ）へ進むステップと、
（ｂ）前記鉛蓄バッテリコネクタが前記鉛蓄バッテリに電気的に接続されているかどうかを決定し、（１）肯定ならば、前記鉛蓄バッテリコネクタを通じて鉛蓄バッテリから前記ベンチレータに電力を供給するステップと、（２）否定であれば、ステップ（ｃ）へ進むステップと、
（ｃ）前記少なくとも一つの着脱可能なバッテリパックが前記ベンチレータに電気的に接続されているかどうかを決定し、（１）否定ならば、前記内部再充電可能なバッテリパックから前記ベンチレータに電力を供給するステップと、（２）肯定であれば、ステップ（ｄ）へ進むステップと、
（ｄ）前記少なくとも一つの着脱可能なバッテリパックが既定の最小閾値を超える測定された容量を持つかどうかを決定し、（１）肯定ならば、前記少なくとも一つの着脱可能なバッテリパックから前記ベンチレータに電力を供給するステップと、（２）否定であれば、既定の持分ベースに基づいて、前記内部再充電可能なバッテリパック及び前記少なくとも一つの着脱可能なバッテリパック両方から前記ベンチレータに電力を供給するステップとを有する、方法。
【請求項１１】
前記ＡＣコネクタが前記交流電源に電気的に接続されているかどうかを決定するステップ（ａ）を繰り返すステップを更に有する、請求項１０に記載の方法。
【請求項１２】
前記ＡＣコネクタが前記交流電源に電気的に接続されている場合、前記内部再充電可能なバッテリパック及び前記少なくとも一つの着脱可能なバッテリパックの各々が完全に充電されているかどうかを決定するステップと、前記内部再充電可能なバッテリパックが完全に充電されていない場合、前記交流電源を使用して前記内部再充電可能なバッテリパックを充電するステップと、前記少なくとも一つの着脱可能なバッテリパックが完全に充電されていない場合、前記交流電源を使用して前記少なくとも一つの着脱可能なバッテリパックを充電するステップとを更に有する、請求項１０に記載の方法。
【請求項１３】
前記少なくとも一つの着脱可能なバッテリパックとして、複数の着脱可能なバッテリパックを供給するステップと、前記着脱可能なバッテリパックの対応する一つを前記ベンチレータに電気的に接続するステップと、前記着脱可能なバッテリパックの対応する一つの測定された容量が既定の閾値より低く下がるまで、前記着脱可能なバッテリパックの対応する一つを使用して前記ベンチレータを動作させるステップと、前記着脱可能なバッテリパックの前記対応する一つを、前記既定の閾値を上回る測定された容量を持つ前記着脱可能なバッテリパックの別のバッテリパックと交換するステップとを更に有する、請求項１０に記載の方法。
【請求項１４】
前記着脱可能なバッテリパックの対応する一つを置き換えるステップを繰り返すステップを更に有する、請求項１３に記載の方法。
【請求項１５】
前記筺体が、更に、前記複数のバッテリの測定された容量を示す充電指標器を含む、請求項４に記載のベンチレータ。